(57)【特許請求の範囲】
【請求項１】
下記の要件を備えたことを特徴とする扉止め装置。
（イ）開閉する扉に取り付けられるケースを有すること。
（ロ）ケースには、扉が開閉して、ケースが床面に回動可能に設けられた金属製のストッパー板の上方に位置すると、ストッパー板をケース側に引き寄せる磁石と、この磁石によって引き寄せられたストッパー板を係止して扉を開くことができないようにする係止部を有すること。
（ハ）磁石は、ケースに傾動可能に設けられた取付枠に取り付けられ、磁石の吸着面がストッパー板の傾斜に合わせて傾斜するように構成されていること。
（ニ）取付枠には、磁石の自重により磁石の吸着面が床面と略平行となるように支軸が設けられ、ケースに支軸を回動可能且つ上下方向に移動可能に支持する孔が設けられていること。
【請求項２】
ケースには、磁石により引き寄せたストッパー板の開口に挿通してロックするロック位置と、磁石により引き寄せたストッパー板の開口に挿通せずロックしない非ロック位置に移動可能なロック部材が設けられていることを特徴とする請求項１記載の扉止め装置。
【請求項３】
前記ロック部材は、前記取付枠と前記係止部の間に設けられていることを特徴とする請求項２記載の扉止め装置。
【発明の詳細な説明】
【技術分野】
【０００１】
本願発明は、扉を床面等に設けられた金属製のストッパー板の上方の位置まで開くと、ストッパー板を磁石により引き上げて係止させ、扉の開閉を規制させる扉止め装置に関する。
【背景技術】
【０００２】
従来の扉止め装置は、ケースを有する。当該ケースには、床面に回動可能に設けられた金属製のストッパー板を引き寄せる磁石と、この磁石によって引き寄せたストッパー板を係止する係止部を有する。この従来の扉止め装置は、開閉する扉にケースが取り付けられ、扉が開閉して、ケースが床面に設けられたストッパー板の上方に移動すると、磁石がストッパー板をケース側に引き寄せて、ストッパー板を係止部に係止させ、扉の開放を規制する。従来の扉止め装置には、ストッパー板をより強く吸着させるため、磁石を傾斜させて固定し、ストッパー板と面接触させるようにしているものが存在する。
（例えば、特許文献１、２）。
【特許文献１】特許第３３６３８３９号公報
【特許文献２】特許第３６６６４２８号公報
【発明の開示】
【発明が解決しようとする課題】
【０００３】
上記従来の扉止め装置は、上記したように、扉を開くと、扉に取り付けたケースの磁石が、床面に設けられた金属製のストッパー板を引き寄せてケースの一側に当接させ、扉がこれ以上開くのを規制するが、扉の開放する速度が速い場合、確実に機能しない時がある。扉止め装置の扉の開放速度に対する性能は、ケースに設けられた磁石と係止部との位置関係、及び磁石の磁力により決まるが、ケース自体は扉に取り付ける関係から小型化・軽量化が望ましく、そのため、磁石と係止部との位置関係よりも、磁石の磁力に委ねられることになる。そのため、従来の扉止め装置は、開放される速度が速い扉に対応できるように性能を向上させるため、磁石の磁力を強くするが、このようにすると、コストが高くなり、販売力が低下することになるという問題点があった。
【０００４】
また、上記従来の扉止め装置は、磁石が固定されているため、ストッパー板の傾斜角と磁石の吸着面の傾斜角とが一致すれば、磁石の吸着面とストッパー板が面接触する。しかし、ストッパー板の傾斜角と磁石の吸着面の傾斜角とが一致しなければ、磁石の吸着面にストッパー板の先端が点接触することになり、吸着力が弱くなる。このように、従来の扉止め装置は、磁石がケースに固定して取り付けられているので、ストッパー板の傾きに対応することができず、扉への取り付け位置によって吸着力が変動するという問題点があった。特に、従来の扉止め装置は、ケースを扉の正しい位置に取り付けることが難しく、僅かではあるが位置がずれて取り付けられることがある。また、ケースが扉の正確な位置に取り付けることができたとしても、扉が自身の重みにより傾いてケースの位置がずれたりする場合がある。このケースの位置のずれにより、ストッパー板との位置関係が変わり、磁石の吸着面とストッパー板とが面接触できなくなり、吸着力が弱くなる。このように、従来の扉止め装置は、磁石がストッパー板との位置関係に対応した動きをすることができないという問題点があった。
【０００５】
本願発明は、上記問題点に鑑み案出したものであって、扉の開放速度が速くても、磁石の磁力を強めることなく確実にストッパー板を係止されることができ、ストッパー板の傾斜角に対応して磁石の吸着面の角度を変えることができ、吸着力を一定に保持することができ、さらに、ケースとストッパー板と位置関係が変動しても、磁石が移動してストッパー板との位置関係を調節することができ、吸着力を一定に保持することができる扉止め装置を提供することを第１の目的とする。さらに、扉を開放方向のみならず閉鎖方向にも規制して確実にロックすることができる扉止め装置を提供することを第２の目的とする。
【課題を解決するための手段】
【０００６】
本願請求項１に係る扉止め装置は、上記第１の目的を達成するため、下記の要件を備えたことを特徴とする。
（イ）開閉する扉に取り付けられるケースを有すること。
（ロ）ケースには、扉が開閉して、ケースが床面に回動可能に設けられた金属製のストッパー板の上方に位置すると、ストッパー板をケース側に引き寄せる磁石と、この磁石によって引き寄せられたストッパー板を係止して扉を開くことができないようにする係止部を有すること。
（ハ）磁石は、ケースに傾動可能に設けられた取付枠に取り付けられ、磁石の吸着面がストッパー板の傾斜に合わせて傾斜するように構成されていること。
（ニ）取付枠には、磁石の自重により磁石の吸着面が床面と略平行となるように支軸が設けられ、ケースに支軸を回動可能且つ上下方向に移動可能に支持する孔が設けられていること。
【０００７】
本願請求項２に係る扉止め装置は、上記第２の目的を達成するため、前記ケースには、磁石により引き寄せたストッパー板の開口に挿通してロックするロック位置と、磁石により引き寄せたストッパー板の開口に挿通せずロックしない非ロック位置に移動可能なロック部材が設けられていることを特徴とする。
【０００８】
本願請求項３に係る扉止め装置は、上記第２の目的を達成するため、前記ロック部材が、前記取付枠と前記係止部の間に設けられていることを特徴とする。
【発明の効果】
【０００９】
本願発明に係る扉止め装置は、開閉する扉に取り付けられるケースを有し、ケースには、扉が開閉して、ケースが床面に回動可能に設けられた金属製のストッパー板の上方に位置すると、ストッパー板をケース側に引き寄せる磁石と、この磁石によって引き寄せられたストッパー板を係止して扉を開くことができないようにする係止部を有し、磁石は、ケースに傾動可能に設けられた取付枠に取り付けられ、磁石の吸着面がストッパー板の傾斜に合わせて傾斜するように構成されている。
【００１０】
本願発明に係る扉止め装置は、扉に取り付けられ、扉を開くと、扉に取り付けたケースの磁石が、床面に設けられた金属製のストッパー板を引き寄せてケースの係止部に係止させ、扉がこれ以上開くのを規制する。磁石は、傾動可能に設けられた取付枠に取り付けられているので、ストッパー板の傾斜角に対応して磁石の吸着面の角度を変えることができ、吸着力を一定に保持することができる。即ち、吸着面がストッパー板と略平行となるように傾動し、磁力の強い状態が維持されている。従って、本願発明に係る扉止め装置は、扉の開放する速度が速い場合であっても対応することができ、磁石の磁力を強めることなく確実にストッパー板をケースの係止部に係止させることができるという効果がある。
【００１１】
また、本願発明に係る扉止め装置は、磁石の吸着面がストッパー板の傾きに対応してストッパー板と略平行となるように傾動し、ストッパー板の傾斜角と磁石の吸着面の傾斜角が一致して、常に磁石の吸着面とストッパー板が面接触するので、吸着力が変動せず、吸着力が最も強い状態を維持することができるという効果がある。
【００１２】
本願発明に係る扉止め装置は、前記取付枠又はケースの一方に支軸が設けられ、前記取付枠又はケースの他方に支軸を回動可能且つ上下方向に移動可能に支持する長孔が設けられている。そのため、本願発明に係る扉止め装置は、磁石が傾動し且つ長孔に沿って上下方向に移動可能である。従って、本願発明に係る扉止め装置は、扉に取り付けたケースとストッパー板との位置関係が変動しても、磁石が移動してストッパー板との位置関係を調節することができ、そのため、磁石の吸着面とストッパー板とが面接触することができ、吸着力が最も強い状態を保持することができるという効果がある。
【００１３】
本願発明に係る扉止め装置は、ケースに、磁石により引き寄せたストッパー板の開口に挿通してロックするロック位置と、磁石により引き寄せたストッパー板の開口に挿通せずロックしない非ロック位置に移動可能なロック部材が設けられているので、扉を開放方向のみならず閉鎖方向にも規制して扉を確実にロックすることができるという効果がある。
【発明を実施するための最良の形態】
【００１４】
本願発明に係る扉止め装置の一つの実施の形態を図１乃至図８に基づいて説明する。図１は、本願発明に係る扉止め装置の全体斜視図であって、（ａ）が非ロック時の全体斜視図、（ｂ）がロック時の全体斜視図である。図２は、図１の扉止め装置の分解斜視図である。図３は、図１（ａ）の扉止め装置の説明図であって、（ａ）が正面図、（ｂ）が右側面図、（ｃ）が背面図、（ｄ）が底面図、（ｅ）が平面図である。図４は、図１（ｂ）の扉止め装置の説明図であって、（ａ）が正面図、（ｂ）が右側面図、（ｃ）が背面図である。
【００１５】
図５は、ストッパー装置の説明図であって、（ａ）が全体斜視図、（ｂ）が正面図、（ｃ）が側面図、（ｄ）が背面図である。図６は、本願発明に係る扉止め装置の係止動作説明図であって、（ａ）が非係止時の側面図、（ｂ）が係止時の側面図である。図７は、本願発明に係る扉止め装置のロック動作説明図であって、（ａ）が非ロック時の側面断面図、（ｂ）がロック時の側面断面図である。図８は、本願発明に係る扉止め装置の係止状況説明図であって、（ａ）はケースが高い位置に取り付けられた時の側面図、（ｂ）はケースが中くらいの位置に取り付けられた時の側面図、（ｃ）はケースが低い位置に取り付けられた時の側面図である。
【００１６】
扉止め装置１は、図７に示すように、開閉する扉Ｄに取り付けられるケース２を有する。図６に示すように、ケース２には、扉Ｄが開閉して、ケース２が床面Ｆに回動可能に設けられた金属製のストッパー板５２の上方に位置すると、ストッパー板５２をケース２側に引き寄せる磁石２０と、この磁石２０によって引き寄せられたストッパー板５２を係止して扉Ｄを開くことができないようにする係止部８を有する。図２に示すように、磁石２０は、ケース２に傾動可能に設けられた取付枠２１に取り付けられ、図６に示すように、磁石２０の吸着面２０ａがストッパー板５２の傾斜に合わせて傾斜するように構成されている。
【００１７】
扉止め装置１は、扉Ｄに取り付けられ、扉Ｄを開くと、扉Ｄに取り付けたケース２の磁石２０が、床面Ｆに設けられた金属製のストッパー板５２を引き寄せてケース２の係止部８に係止させ、扉Ｄがこれ以上開くのを規制する。磁石２０は、傾動可能に設けられた取付枠２１に取り付けられているので、ストッパー板５２の傾斜角に対応して磁石２０の吸着面２０ａの角度を変えることができ、吸着力を一定に保持することができる。即ち、吸着面２０ａがストッパー板５２と略平行となるように傾動し、磁力の強い状態が維持されている。従って、扉止め装置１は、扉Ｄの開放する速度が速い場合であっても対応することができ、磁石２０の磁力を強めることなく確実にストッパー板５２をケース２の係止部８に係止させることができる。
【００１８】
また、扉止め装置１は、磁石２０の吸着面２０ａがストッパー板５２の傾きに対応してストッパー板５２と略平行となるように傾動し、ストッパー板５２の傾斜角と磁石２０の吸着面２０ａの傾斜角が一致して、常に磁石２０の吸着面２０ａとストッパー板５２が面接触するので、吸着力が変動せず、吸着力が最も強い状態を維持することができる。
【００１９】
図２に示すように、取付枠２１又はケース２の一方に支軸２９，３０が設けられ、取付枠２１又はケース２の他方に支軸２９，３０を回動可能且つ上下方向に移動可能に支持する長孔１７，１８が設けられている。ケース２には、磁石２０により引き寄せたストッパー板５２の開口５３に挿通してロックするロック位置と、磁石２０により引き寄せたストッパー板５２の開口５３に挿通せずロックしない非ロック位置に移動可能なロック部材３１が設けられている。
【００２０】
扉止め装置１は、磁石２０が傾動し且つ長孔１７，１８に沿って上下方向に移動可能である。従って、扉止め装置１は、扉Ｄに取り付けたケース２とストッパー板５２との位置関係が変動しても、磁石２０が移動してストッパー板５２との位置関係を調節することができ、そのため、磁石２０の吸着面２０ａとストッパー板５２とが面接触することができ、吸着力が最も強い状態を保持することができる。扉止め装置１は、ロック部材３１を備えているので、扉Ｄを開放方向のみならず閉鎖方向にも規制して扉Ｄを確実にロックすることができる。
【００２１】
さらに扉止め装置１について詳細に説明する。図２に示すように、扉止め装置１は、ケース２と、磁石２０と、磁石２０を取り付ける取付枠２１と、ロック部材３１とからなる。ケース２、取付枠２１及びロック部材３１は、合成樹脂によって形成されている。ケース２は、基板３と、基板３の前面を覆うカバー４０とからなる。基板３は、矩形板状に形成され、前面中央下部に案内台５が形成されている。案内台５の前面６は、摺動面となっており、下方にいくに従って、基板３に近付くように傾斜している。また、案内台５の前面６には、係止爪７が形成されている。基板３の後面３ａ左右両側には、係止凹部９が形成されている。
【００２２】
基板３の案内台５両側には、支持部材１１，１２が設けられている。支持部材１１及び支持部材１２は、対向する平面１３，１４を有する。左側の支持部材１１の平面１３には、前記案内台５の前面６と略平行となるガイド突起１５が形成されている。また、支持部材１１の平面１３先部には、長孔１７が形成されている。長孔１７は、下方にいくに従って、基板３から離れるように傾斜している。
【００２３】
右側の支持部材１２の平面１４には、前記左側の支持部材１１のガイド突起１５と対向するガイド突起１６が形成されている。このガイド突起１６も、ガイド突起１５と同様に、前記案内台５の前面６と略平行となっている。また、支持部材１２の平面１４の先部には、前記長孔１７と対向する長孔１８が形成されている。長孔１８も、長孔１７と同様に、下方にいくに従って、基板３から離れるように傾斜している。基板３と一対の支持部材１１，１２の接合部が後記ストッパー板５２の先端５５を係止する係止部８を形成しているが、基板３又は支持部材１１，１２に係止凸部又は係止凹部を形成し、この係止凸部又は係止凹部を係止部としてもよい。このように、係止部８は、設計技術上、その位置及び形状を種々変更することができ、特にこの実施の形態に限定されるものでないのは勿論である。基板３の上部両側には、基板３を連通するネジ通し穴１９が形成されている。
【００２４】
磁石２０は、直方体形状に形成されている。磁石２０は、取付枠２１に固定して取り付けられる。取付枠２１は、底板２２と、底板２２の前端に設けられた前面板２３と、底板２２の左端に設けられた左側面板２４と、底板２２の右端に設けられた右側面板２５とからなる。底板２２の後端には係止縁２６が突設されている。また、左側面板２４と右側面板２５の上端には、内側に向かって突出する係止突起２７，２８が形成されている。前記磁石２０は、底板２２に載置され、下面後端が係止縁２６によって係止され、両側面上端が係止突起２７，２８によって係止され、取付枠２１に固定される。
【００２５】
取付枠２１は、左側面板２４及び右側面板２５の外面に支軸２９，３０が形成されている。取付枠２１は、左側面板２４の支軸２９が左側の支持部材１１の長孔１７に回動可能且つ移動可能に差し込まれ、右側面板２５の支軸３０が右側の支持部材１２の長孔１８に回動可能且つ移動可能に差し込まれ、基板３に傾動可能且つ上下方向に移動可能に取り付けられている。
【００２６】
図２に示すように、ロック部材３１は、ロック板３２と、ロック板３２の上端に形成された操作片３３とからなる。ロック板３２は、略矩形板状に形成され、下端に係合凸起３５が形成され、両側面にガイド溝３６，３６が形成されている。また、ロック板３２は、図７に示すように、後面３４の上部と下部に係止凹部３７，３８が形成されている。ロック部材３１は、ロック板３２の両側面に形成されたガイド溝３６，３６を支持部材１１，１２のガイド突起１５，１６に摺動可能に差し込むことによって、支持部材１１，２１間に取り付けられている。
【００２７】
図７（ａ）に示すように、ロック部材３１は、操作片３３を引き上げて、下側に位置する係止凹部３８を案内台５の係止爪７に係止することによって、非ロック位置で位置決めされる。図７（ｂ）に示すように、ロック部材３１は、操作片３３を押し込んで、上側に位置する係止凹部３７を案内台５の係止爪７に係止することによって、ロック位置で位置決めされる。
【００２８】
図２に示すように、カバー４０は、前壁４１と、前壁４１の上端に形成された上壁４２と、前壁４１及び上壁４２の左端に形成された左壁４３と、前壁４１及び上壁４２の右端に形成された右壁４４とからなる。また、カバー４０は、左壁４３と右壁４４の後端に係止片４５が形成され、当該係止片４５，４５を基板３の係止凹部９に係止させることにより、基板３に固定して取り付けられる。さらにまた、カバー４０には、基板３に固定して取り付けられると、前記操作片３３が突出する開口４６が前壁４１上部及び上壁４２前部に連続して形成されている。
【００２９】
図２に示すように、ストッパー装置５０は、床面Ｆに固定される基台５１と、基台５１に回動可能に取り付けられた金属製のストッパー板５２とからなる。金属製のストッパー板５２は、板状に形成され、係合開口５３が形成されている。基台５１は、底板５８とカバー５９とからなり、底板５８にカバー５９が接合固定されて形成されている。ストッパー板５２は、基台５１に形成された矩形状凹部５６内に一端５４が回動可能に枢着されて取り付けられている。この基台５１は、床面Ｆにネジ、接着剤等によって固定されている。
【００３０】
扉止め装置１は、上記構成を有し、上記ケース２は、開閉する扉Ｄの下部にネジ６１，６１、接着剤等によって取り付けられる。即ち、図６に示すように、基板３からカバー４０を外し、基板３のネジ通し穴１９，１９にネジ６１，６１を挿通して、このネジ６１，６１を扉Ｄにねじ込むことによって、基板３が扉Ｄに固定して取り付けられる。なお、接着剤によって基板３を扉Ｄに固定しても構わない。扉Ｄに固定した基板３の係止凹部９，９にカバー４０の係止片４５，４５を係止させ、カバー４０を基板３に固定して取り付ける。ストッパー装置５０は、床面Ｆにネジ、接着剤等によって固定されている。
【００３１】
図６（ａ）に示すように、扉Ｄの位置がストッパー装置５０から離れている時は、磁石２０の自重により、下面（吸着面）２０ａが床面Ｆと略平行となっており、磁力線が真下に向かっている。扉Ｄを開放方向Ｘに回動し、ケース２がストッパー装置５０の上方に移動すると、図６（ｂ）に示すように、磁石２０によってストッパー板５２が上方に引き上げられ、ストッパー板５２の先端５５が扉止め装置１の係止部８に係止される。磁石２０の下面（吸着面）２０ａは、ストッパー板５２の傾動に追随し、ストッパー板５２と略平行となるようにして傾動していき、ストッパー板５２に対して面吸着する。この時、磁石２０の磁力線は、ストッパー板５２と略直角の方向に傾いている。
【００３２】
磁石２０の下面（吸着面）２０ａがストッパー板５２と略平行となるようにして傾動するので、ストッパー板５２に対して最も強い磁力を発生しており、扉Ｄの開放速度が速くても、確実にストッパー５２を引き上げて係止させることができる。扉Ｄは、このようにして、扉止め装置１により開放が規制される。扉Ｄを閉鎖方向Ｙに回動すると、ケース２がストッパー装置５０から離れるため、図６（ａ）に示すように、ストッパー板５２が元の位置に復帰し、磁石２０の下面（吸着面）２０ａが自重により床面Ｆと略平行となる。上記したように、扉止め装置１は、磁石２０の下面（吸着面）２０ａがストッパー板５２と面吸着するので、ストッパー板５２の先端５５が扉止め装置１の係止部８に係止された状態で確実に保持される。
【００３３】
図９（ａ）に示すように、従来の扉止め装置は、磁石２０が固定されているので、磁石２０の下面（吸着面）２０ａにストッパー板５２の先端５５が点吸着する。磁石２０の磁力線の影響から、ストッパー板５２の先端５５が磁石２０の下面（吸着面）２０ａ略中央に吸着し易く、扉Ｄの位置がずれることになる。そのため、ロック部材を押し込んだ場合、ロック部材がストッパー板５２の開口５３に挿通しないので、図９（ｂ）に示すように、扉Ｄを所定位置に戻しながらロックしなければならない。扉止め装置１は、磁石２０の下面（吸着面）２０ａがストッパー板５２と面吸着するので、このような問題は発生しない。
【００３４】
また、図６（ｂ）、図７（ａ）の状態で、操作片３３を操作してロック部材３１を押し込むと、図７（ｂ）に示すように、ロック部材３１の係合凸起３５がストッパー板５２の係合開口５３内に突出して係合し、扉Ｄの回動をロックする。そのため、扉Ｄは、開放方向Ｘは勿論のこと閉鎖方向Ｙへの回動が規制される。なお、ロック部材３１は、係止凹部３７が係止爪７に係止され、この状態で位置決めされている。
【００３５】
ロック部材３１は、ケース２に係合凸起３５が扉Ｄ側に近づくように傾斜して設けられている。そのため、扉Ｄが閉鎖方向Ｙへ回動しようとした場合、ロック部材３１の先端（係合凸起３５）が係合開口５３の後端縁に当接してストッパー板５２を押し上げるように作用するので、ストッパー板５２の脱落を防止し、扉Ｄの閉鎖方向Ｙへの回動を確実に阻止することができる。従来の扉止め装置は、ロック部材が略垂直に上下するので、ストッパー板の脱落防止のため、係止凹部を形成していたが、この係止凹部にストッパー板の開口端縁が係止されるので、ロック解除できなくなる場合があった。扉止め装置１は、ストッパー板５２の開口５３端縁が係止される係止凹部をロック部材３１が備えていないので、スムーズにロック解除することができ、この従来の問題が発生することがない。
【００３６】
また、ロック部材３１をロック位置に押し込んだ状態で、閉鎖状態の扉Ｄを開放方向Ｘに回動させてしまう場合がある。この場合、ロック部材３１の先端（係合凸起３５）がストッパー板５２の先端５５に衝撃的にぶつかり、ロック部材３１及びストッパー板５２を破損してしまう虞がある。係る場合を考慮して、ロック部材３１の先端（係合凸起３５）前部には、扉Ｄの開放方向Ｘの回動時に、ストッパー板５２の先端５５が当接する傾斜面３９を形成している。この傾斜面３９にストッパー板５２の先端５５が当接すると、傾斜面３９がストッパー板５２を押し下げるので、ロック部材３１及びストッパー板５２の破損を回避させることができる。
【００３７】
また、図６（ｂ）、図７（ａ）に示すように、操作片３３を操作してロック部材３１を引き上げると、ロック部材３１の係合凸起３５がストッパー板５２の係合開口５３から離間して係合が解除され、扉Ｄのロックを解除する。そのため、扉Ｄは、閉鎖方向Ｙへの回動が可能となる。ロック部材３１は、係止凹部３８が係止爪７に係止され、この状態で位置決めされている。
【００３８】
図８に示すように、扉止め装置１は、ストッパー装置５０とケース２との位置関係により、磁石２０の回動支点となる支軸２９，３０の位置が上下する。図８（ａ）に示すように、ストッパー装置５０からケース２が離れている場合には、支軸２９，３０の位置が長穴１７，１８の下部に位置してる。図８（ｂ）に示すように、ストッパー装置５０からケース２がすこし離れている場合には、支軸２９，３０の位置が長穴１７，１８の略中間部に位置してる。図８（ｃ）に示すように、ストッパー装置５０からケース２があまり離れていない場合には、支軸２９，３０の位置が長穴１７，１８の上部に位置してる。このように、扉止め装置１は、ストッパー装置５０とケース２との位置関係により、磁石２０の回動支点となる支軸２９，３０の位置を自動的に調節することができ、磁石２０の吸着面２０ａをストッパー板５０に確実に面接触させることができる。
【００３９】
上記実施の形態では、磁石２０は、底板２２に載置されて取付枠２１に固定して取り付けられている。従って、磁石２０の吸着面２０ａは、直接ストッパー板５２に吸着するのではなく、底板２２を介してストッパー板５２に吸着する。磁石２０の吸着面２０ａを直接ストッパー板５２に吸着させても構わないが、このような場合、ストッパー板５２が衝撃的に磁石２０に当接するので、磁石２０が破損する可能性がある。底板２２を介することによって、即ち、底板２２がストッパー板５２と面接触することによって、磁石２０を保護することができる。なお、底板２２の存在は、磁石２０の磁力に与える影響が極めて小さい。
【産業上の利用可能性】
【００４０】
本発明に係る扉止め装置は、開閉する扉を開いた状態でロックする固定装置に利用可能である。
【図面の簡単な説明】
【００４１】
【図１】本願発明に係る扉止め装置の全体斜視図である。
【図２】図１の扉止め装置の分解斜視図である。
【図３】図１（ａ）の扉止め装置の説明図である。
【図４】図１（ｂ）の扉止め装置の説明図である。
【図５】ストッパー装置の説明図である。
【図６】本願発明に係る扉止め装置の係止動作説明図である。
【図７】本願発明に係る扉止め装置のロック動作説明図である。
【図８】本願発明に係る扉止め装置の係止状況説明図である。
【図９】従来の扉止め装置の係止状況説明図である。
【符号の説明】
【００４２】
Ｆ  床面
Ｄ  扉
１  扉止め装置
２  ケース
３  基板
５  案内台
６  前面
７  係止爪
８  係止部
９  係止凹部
１１  支持部材
１２  支持部材
１３  平面
１４  平面
１５  ガイド突起
１６  ガイド突起
１７  長孔
１８  長孔
１９  ネジ通し穴
２０  磁石
２０ａ  吸着面
２１  取付枠
２２  底板
２３  前面板
２４  左側面板
２５  右側面板
２６  係止縁
２７  係止突起
２８  係止突起
２９  支軸
３０  支軸
３１  ロック部材
３２  ロック板
３３  操作片
３４  後面
３５  係合凸起
３６  ガイド溝
３７  係止凹部
３８  係止凹部
３９  傾斜面
４０  カバー
４１  前壁
４２  上壁
４３  左壁
４４  右壁
４５  係止片
４６  開口
５０  ストッパー装置
５１  基台
５２  ストッパー板
５３  係合開口
５４  一端
５５  先端
５６  矩形状凹部
５８  底板
５９  カバー
６１  ネジ
【図１】
0005140404.tif 000002
【図２】
0005140404.tif 000003
【図３】
0005140404.tif 000004
【図４】
0005140404.tif 000005
【図５】
0005140404.tif 000006
【図６】
0005140404.tif 000007
【図７】
0005140404.tif 000008
【図８】
0005140404.tif 000009
【図９】
0005140404.tif 000010